(57)【要約】【課題】使用者の身体を保持する部分を円弧運動させることにより、使用者の身体に負担がかからないようにする。【解決手段】リモコン４４の操作によってアクチュエータ３２を駆動することで、上側可動ユニット２側のローラ１６Ａ〜１６Ｄが下側ベースユニット３側のガイドレール５４Ａ，５４Ｂに案内されつつ転動する。これにより、上側可動ユニット２が、ユニット２上方の仮想点Ａ（図２参照）を回転中心として円弧運動して、使用者の頭部の上下位置が変化する。【選択図】  図１
2008188149.tif 000002
【特許請求の範囲】
【請求項１】
上側フレームに身体保持部が設けられてなる上側可動ユニットが、下側ベースユニットに対し前記身体保持部の長手方向において移動可能に支持されているリクライニングチェアであって、
前記上側可動ユニットと下側ベースユニットとの間に、前記上側可動ユニットを、そのユニット上方の仮想点を回転中心として円弧運動するように案内する案内手段と、前記上側可動ユニットを下側ベースユニットに対し移動させるアクチュエータと
が設けられていることを特徴とするリクライニングチェア。
【請求項２】
前記身体保持部は、上側フレームに交換可能に設けられると共に、合成樹脂材料で成形され身体保持に適した屈曲形状を有することを特徴とする請求項１記載のリクライニングチェア。
【請求項３】
前記上側可動ユニットの上側フレームは、転動可能である複数のローラを備える一方、前記下側ベースユニットは、前記上側フレームに対応してベースフレームを備え、このベースフレームに前記ローラが転動する円弧軌道を形成するレール部材が設けられていることを特徴とする請求項１または２記載のリクライニングチェア。
【請求項４】
前記ベースフレームは、上下方向に延びる周回壁部を有し、その周回壁部の左右の側壁部の上縁が円弧を形成する湾曲面とされ、この湾曲面上に前記レール部材が設けられ、
前記上側フレームは、下側に可動プレートが固定され、この可動プレートに前記ローラが回転可能に支持されていることを特徴とする請求項３記載のリクライニングチェア。
【請求項５】
前記アクチュエータは、一端部が前記可動プレートに、他端部が前記ベースフレームにそれぞれ回転可能に連結されていることを特徴とする請求項４記載のリクライニングチェア。
【発明の詳細な説明】
【技術分野】
【０００１】
本発明は、治療院、エステサロン、宿泊施設、その他の施設においてリラクゼーション機器の一つして用いられるリクライニングチェアに関するものである。
【背景技術】
【０００２】
従来より、リクライニングチェアとして、背もたれ部、座部、足置部を有し、これらの位置の角度を可変するものは知られている（例えば、特許文献１参照）。
【特許文献１】特開２００６−０２５９８４号公報（段落００１０〜００１３及び図１，図２）
【発明の開示】
【発明が解決しようとする課題】
【０００３】
特許文献１記載のものにおいて、背もたれ部、座部、足置部は、位置及び角度を変えることができるとしても、使用者によりリラックスする快適な位置や角度が異なっているので、当初は快適であっても、快適感は持続せず、また、長時間同じ姿勢で座ったり寝たりすると、疲れやすい。その一方、そのような位置や角度を座ったり寝たまま調整するのは容易ではない。
【０００４】
また、そのような起伏動作では、身体に接する面が平らで起伏動作による上下左右の身体ズレが発生するし、身体に余分な力がかかる。さらに、背面床部の起伏動作により背中を持ち上げると、腹部に負担がかかる。座ったり寝た状態のまま前記起伏動作をすると、使用者が恐怖感を覚える場合がある。
【０００５】
本発明は、使用者の身体を保持する部分を起伏動作させるのではなく、円弧運動させることにより、使用者の身体に負担がかからないようにしたリクライニングチェアを提供することを目的とする。
【課題を解決するための手段】
【０００６】
請求項１の発明は、上側フレームに身体保持部が設けられてなる上側可動ユニットが、下側ベースユニットに対し前記身体保持部の長手方向において移動可能に支持されているリクライニングチェアであって、前記上側可動ユニットと下側ベースユニットとの間に、前記上側可動ユニットを、そのユニット上方の仮想点を回転中心として円弧運動するように案内する案内手段と、前記上側可動ユニットを下側ベースユニットに対し移動させるアクチュエータとが設けられていることを特徴とする。
【０００７】
このようにすれば、身体保持部にて身体が保持された状態のままで前記身体保持部の長手方向において円弧運動させるので、使用者の身体ズレがなく、身体各部に負担がかからない。また、身体に負担がかからないため、移動時に使用者に恐怖感を与えるおそれがない。
【０００８】
請求項２に記載のように、前記身体保持部は、上側フレームに交換可能に設けられると共に、合成樹脂材料で成形され身体保持に適した屈曲形状を有することが望ましい。ここで、前記身体保持部は、各種身体形状に対応して複数種類形成され、使用者の身体保持に適した形状のものが選択されて取り付けられる。また、身体保持に適した屈曲形状とは、使用者の身体が落下しないように全体として凹になるように湾曲し、細部において身体保持に適するように屈曲している形状を意味する。
【０００９】
このようにすれば、身体保持部として、使用者が希望する快適な姿勢とするものをもちいることができる。身体保持部を交換することで、使用者の気分に応じた姿勢で保持されるようにすることも可能である。
【００１０】
請求項３に記載のように、前記上側可動ユニットの上側フレームは、転動可能である複数のローラを備える一方、前記下側ベースユニットは、前記上側フレームに対応してベースフレームを備え、このベースフレームに前記ローラが転動する円弧軌道を形成するレール部材が設けられている構成とすることも可能である。
【００１１】
このようにすれば、アクチュエータを駆動することによって、ベースフレームに対し、ローラとレール部材との関係で、上側可動ユニットが円滑に移動して、使用者は好みのリクライニング角度に、簡単に、繰り返し変更することができる。
【００１２】
請求項４に記載のように、前記ベースフレームは、上下方向に延びる周回壁部を有し、その周回壁部の左右の側壁部の上縁が円弧を形成する湾曲面とされ、この湾曲面上に前記レール部材が設けられ、前記上側フレームは、下側に可動プレートが固定され、この可動プレートに前記ローラが回転可能に支持されている構成とすることができる。
【００１３】
このようにすれば、ベースフレームの周回壁部のうち左右の側壁部の、円弧を形成する湾曲面である上縁を利用してレール部材を設けるようにしているので、円弧軌道を形成するレール部材を無理なく配置することができる。
【００１４】
請求項５に記載のように、前記アクチュエータは、一端部が前記可動プレートに、他端部が前記ベースフレームにそれぞれ回転可能に連結されていることが望ましい。
【００１５】
このようにすれば、アクチュエータは上側フレームではなく、それに取り付けられる可動プレートに連結しているので、身体保持部が設けられている上側フレームに無理な力が作用することがない。
【発明の効果】
【００１６】
本発明は、以上のように、使用者が希望する快適な姿勢を身体保持部にて保持された状態のままで円弧運動させるので、使用者の身体ズレがなく、身体各部に負担がかからない。また、身体に負担がかからないため、移動時に使用者に恐怖感を与えるおそれがない。
【発明を実施するための最良の形態】
【００１７】
以下、本発明の実施の形態を図面に沿って説明する。
【００１８】
図１〜図４は本発明の一実施の形態に係るリクライニングチェアの斜視図、側面図、正面図および平面図である。
【００１９】
図１〜図４に示すように、本発明に係るリクライニングチェア１は、上側可動ユニット２が、そのユニット上方の仮想点Ａ（図２参照）を回転中心として、シートアッセンブリ５（身体保持部）の長手方向において、下側ベースユニット３に対し円弧軌道をなして移動可能なるように支持されている。上側可動ユニット２が下側ベースユニット３に対し円弧運動することで、使用者の頭部の位置が、上下方向において、１７５ｍｍ程度変位するように構成されている。
【００２０】
上側可動ユニット２は、上側フレーム４に、シートアッセンブリ５が設けられてなる。シートアッセンブリ５には、使用者の頭部が位置することになる上部に枕部５ａが一体に成形されている。また、下部に、後述する、上側フレーム４の周回壁部４Ｂ内に挿入される係合凸部５ｂも一体に成形されている。
【００２１】
また、係合凸部５ｂが上側フレーム４の周回壁部４Ｂ内に係脱可能に挿入されることで、シートアッセンブリ５が上側フレーム４に交換可能に設けられている。よって、ベッド使用者の身体形状に応じて最適の形状を有するシートアッセンブリ５を使用できるようになっている。なお、シートアッセンブリ５は、合成樹脂材料で成形され身体保持に適した形状を有するものである。つまり、使用者の身体が落下しないように全体として凹になるように湾曲し、細部において身体保持に適するように屈曲している。そして、予想される使用者の身体形状に対応して複数種類のものが予め形成されて、準備されている。
【００２２】
また、上側フレーム４は、図５−１〜図５−３に示すように、表面が断面円弧状に湾曲している湾曲凹部４Ａａを有する底部４Ａと、その底部４Ａの周縁に連続して上方に延びる周回壁部４Ｂとを有する箱枠形状で、周回壁部４Ｂの上縁には環状のレギュラートリム２１が装着されている。周回壁部４Ｂの、枕部５ａ側の外側には、医療機器などの各種機器を装着できる機器固定枠２２が取り付けられている。上側フレーム４の上側内部に、機器固定枠２２に対応して、機器サポート２３が取り付けられている。また、シートアッセンブリ５の枕部５ａに対応して枕部５ａを下側から支持するヘッドサポート２４が取り付けられている。
【００２３】
上側フレーム４の湾曲凹部４Ａａの下側には、その湾曲凹部４Ａａに対応して屈曲した断面くの字形状の可動プレート１１が取付ねじにより取付固定されている。可動プレート１１の左右側部の前後４箇所に、下方に突出する４つの支持ブラケット部１１Ａ，１１Ｂ，１１Ｃ，１１Ｄが設けられている。各支持ブラケット部１１Ａ，１１Ｂ，１１Ｃ，１１Ｄは、ＤＵブッシュ（支持ブラケット部１１Ａ，１１ＣについてのＤＵブッシュ１２Ａ，１２Ｃのみ図示）、ベアリング１３Ａ〜１３Ｄおよび止め輪１４Ａ〜１４Ｄが装着された軸受穴１１Ａａ，１１Ｂａ，１１Ｃａ，１１Ｄａを有する。そして、左の支持ブラケット部１１Ａ，１１Ｂの軸受穴１１Ａａ，１１Ｂａと右の支持ブラケット部１１Ｃ，１１Ｄの軸受穴１１Ｃａ，１１Ｄａとにローラ軸１５Ａ，１５Ｂがそれぞれ回転可能に支持され、そのローラ軸１５Ａ，１５Ｂの端部に、支持ブラケット部１１Ａ〜１１Ｄの外側でローラ１６Ａ〜１６Ｄが止め輪１７Ａ〜１７Ｄにて固定されている。また、支持ブラケット部１１Ｂ，１１Ｄの間には、後述するアクチュエータ３２の可動ロッド部３２Ｂの先端部が回転可能に連結される、連結ブラケット部１１Ｅが設けられている。なお、可動プレート１１には、軽量化のために、３つの開孔１１ａ，１１ｂ，１１ｃが設けられている。
【００２４】
下側ベースユニット３は、矩形枠形状の底部３１Ａとその周縁より上方に延びる周回壁部３１Ｂとを有する中空箱形状のベースフレーム３１を有する。ベースフレーム３１は、必要な強度を確保するために、下部に補強フレーム３１Ｃが設けられている。
【００２５】
このベースフレーム３１の底部３１Ａと可動プレート１１との間に、上側可動ユニット２を下側ベースユニット３に対し円弧移動させる電動アクチュエータ３２が設けられている。この電動アクチュエータ３２は、本体部３２Ａと、この本体部３２Ａに本体部３２Ａから突出可能に設けられている多段式の可動ロッド部３２Ｂとを有する。
【００２６】
補強フレーム３１Ｃのうち使用者の脚部が位置する側のフレーム部分の中央部には、アクチュエータ３２の本体部３２Ａが回転可能に連結される連結ブラケット部３１Ｃａが設けられている。連結ブラケット部３１Ｃａに、軸部材３３、ナイロンワッシャ３４及び止め輪３５を用いて、本体部３２Ａから突出する連結凸部３２Ａａが回転可能に連結される。
【００２７】
また、可動ロッド部３２Ｂの先端部は、可動プレート１１に設けられた連結ブラケット１１Ｅに回転可能に連結されている。この場合は、連結ブラケット部１１Ｅに、軸部材３６及び止め輪３７を用いて、可動ロッド部３２Ｂの先端部が回転可能に連結される。なお、電動アクチュエータ３２の電気コード３２ａは、コントロールボックス４１を介して、ベースフレーム３１内に設けられる電源コンセント４２に接続される。この電源コンセント４２は、別の電源コード４３を介して、外部電源（図示せず）に接続され、電力が供給されるようになっている。また、コントロールボックス４１には、アクチュエータ３２の駆動を制御するリモコン４４も接続されている。これらのコード３２ａは、ナイロンクランプ４５にて適宜補強フレーム３１Ｃに支持される。
【００２８】
また、補強フレーム３１Ｃには、ロータリプレン５１を介して、ストッパー付きキャスター５２Ａ，５２Ｂ，５２Ｃ，５２Ｄが設けられ、これらの内側部分ににおいて底板５３が補強フレーム３１Ｃに取り付けられている。
【００２９】
この周回壁部３１Ｂの左右の側壁部３１Ｂａ，３１Ｂｂはほぼ平行で、その上縁は、凹状の円弧を形成する湾曲縁となっている。この湾曲縁には、内方に突出するフランジ部３１Ｂａａ，３１Ｂｂａが連接され、この湾曲した左右のフランジ部３１Ｂａａ，３１Ｂｂａに、１対の湾曲形状のガイドレール５４Ａ，５４Ｂがサラねじ（図示せず）にて取り付けられている。このガイドレール５４Ａ，５４Ｂは、ローラ１６Ａ〜１６Ｄが転動する円弧軌道を形成している。
【００３０】
このガイドレール５４Ａ，５４Ｂとこれに沿って転動するローラ１６Ａ，１６Ｂおよび１６Ｃ，１６Ｄとによって、上側可動ユニット２を下側ベースユニット３に対し円弧運動させる案内手段が構成されている。この案内手段は、上側可動ユニット２と下側ベースユニット３との間に設けられていることになる。
【００３１】
上記のように構成すれば、人によりリラックスする快適なリクライニング角度が異なることから、上側可動ユニット２を下側ベースユニット３に対し円弧運動させる場合には、まず、リモコン４４の操作によってアクチュエータ３２を駆動する。アクチュエータ３２が駆動すると、その駆動方向に応じて、本体部３２Ａより可動ロッド部３２Ｂが突出したり収納されたりして、アクチュエータ３２の全長が長くなったり短くなったりするように変化する。
【００３２】
この変化に伴い、下側ベースユニット３が静止状態にあるので、上側可動ユニット２側のローラ１６Ａ〜１６Ｄが下側ベースユニット３側のガイドレール５４Ａ，５４Ｂに案内されつつ転動することになる。この転動により、上側可動ユニット２が、ユニット２上方の仮想点Ａ（図２参照）を回転中心として円弧運動して、使用者の頭部の上下位置が変化することになる。
【００３３】
このようなリモコン４４による操作の繰り返しにより、使用者は好みのリクライニング角度に、簡単に、何度でも変更することができる。
【００３４】
また、シートアッセンブリ５にて身体が保持された状態のままで、シートアッセンブリ５全体を円弧運動させるので、使用者の身体ズレがなく、身体各部に負担がかからない。また、使用者の身体に負担がかからないため、移動時に使用者に恐怖感を与えるおそれがない。
【００３５】
しかも、シートアッセンブリ５を交換することで、使用者が希望する快適な姿勢となるものを用いることができるので、使用者の気分に応じた姿勢で保持されるようにすることもできる。
【図面の簡単な説明】
【００３６】
【図１】本発明の一実施の形態に係るリクライニングチェアの斜視図である。
【図２】同側面図である。
【図３】同正面図である。
【図４】同平面図である。
【図５−１】同分解斜視図である。
【図５−２】同分解斜視図である。
【図５−３】同分解斜視図である。
【符号の説明】
【００３７】
１    リクライニングチェア
２    上側可動ユニット
３    下側ベースユニット
５    シートアッセンブリ（身体保持部）
３１    ベースフレーム
３１Ｂ    周回壁部
３２    アクチュエータ
４４    リモコン
５４Ａ，５４Ｂ    ガイドレール
【図１】
2008188149.tif 000003
【図２】
2008188149.tif 000004
【図３】
2008188149.tif 000005
【図４】
2008188149.tif 000006
【図５−１】
2008188149.tif 000007
【図５−２】
2008188149.tif 000008
【図５−３】
2008188149.tif 000009